(57)【要約】【課題】用紙先端の浮上を抑制して薄紙等の用紙を確実に給紙することができるものとする。【解決手段】用紙収納部内のサイドフェンス１３に配置した噴出口２２からエアーを収納された用紙束の側面に吹き付け、用紙捌きを行い、この用紙束からピックアップコロ３１で用紙を１枚ずつ給紙する給紙装置において、ピックアップコロ３１の用紙搬送側に搬送装置が送出した用紙をフィードコロ３２及びリバースコロ３３の搬入部に向け誘導する案内部材５０を配置する。案内部材５０には、取付部５４，５５としてピックアップコロ３１を軸部３１ａに、フィードコロ３２を軸部３２ａに固定するスナップフィット部材止め輪を備えると共に、取付姿勢が誤っているとき、前記ピックアップコロ３１軸部３２ａと緩衝する凸部５３を備える。【選択図】図１
2010202373.tif 000002
【特許請求の範囲】
【請求項１】
用紙収納部内のサイドフェンスに配置した噴出口からエアーを収納された用紙束の側面に吹き付け、用紙捌きを行い、この用紙束からピックアップ装置で用紙を１枚ずつ給紙する給紙装置において、
ピックアップコロの用紙搬送側に搬送装置が送出した用紙を次段の搬送装置に搬入部に向け誘導する案内部材を配置したことを特徴とする給紙装置。
【請求項２】
前記ピックアップ装置はピックアップコロを備え、次段の搬送装置は、フィードコロ及びリバースコロを備えることを特徴とする請求項１記載の給紙装置。
【請求項３】
前記案内部材は、前記ピックアップコロの軸部と、前記フィードコロの軸部に取り付ける取付部を備えることを特徴とする請求項２記載の給紙装置。
【請求項４】
前記案内部材の取付部は、前記ピックアップコロと前記フィードコロを各軸部に固定するスナップフィット止め輪部材を兼ねていることを特徴とする請求項３記載の給紙装置。
【請求項５】
前記案内部材は、取付姿勢が誤っているとき、前記ピックアップコロ又は前記フィードコロの少なくとも一方の軸部と干渉する凸部を備えることを特徴とする請求項２乃至４のいずれか記載の給紙装置。
【請求項６】
請求項１乃至５のいずれかに記載の給紙装置を備えることを特徴とする画像形成装置。
【発明の詳細な説明】
【技術分野】
【０００１】
本発明は給紙装置及び画像形成装置に係り、特に、用紙収納部内のサイドフェンスに配置した噴出口からエアーを収納された用紙束の側面に吹き付け、用紙捌きを行い、この用紙束からピックアップ装置で用紙を１枚ずつ給紙する給紙装置及びこの給紙装置を備えた画像形成装置に関する。
【背景技術】
【０００２】
電子写真式の複写機、プリンタ、ファクシミリや、インクジェットプリンタ等の各種画像形成装置には、給紙装置が備えられる。この給紙装置は用紙収納部に収納された用紙束から一枚ずつ用紙を取り出して画像形成部、印字部に給紙する。近年、用紙の多様化に伴い、普通紙以外の用紙、例えば、コート紙、アート紙、フィルム紙等が使用されるようになっている。
【０００３】
ここで、普通紙以外の各種用紙は、用紙表面の平滑度がよく、通気性が少なく、吸湿生があるという特性を有するため、紙間密着力が高まる傾向がある。このため、普通紙に比べて分離性が悪く、重送や、不送りが発生しやすいという問題を有している。このような特性を有した各種用紙を給紙する際に一枚ずつに分離して正しく送るためには、従来の印刷機のように吸盤を用いたエアー給紙や、フィードコロをベルト状としてエアー吹き込むことで負圧を利用して用紙吸着を行うものが使用される。
【０００４】
また、用紙の側端部又は後端部を規制するガイド部の上部にノズルを設け、ガイド部内部に設けたブロワー等の送風手段から送られてきた空気を積載された用紙の上部端面へ吹き付けるものもある。このようなタイプの給紙装置は、積載された用紙の紙間に空気を送り込むことができるので、積層された用紙が空気で捌かれ重送を防止することができる。
【０００５】
このような給紙装置を備えた画像形成装置として次のものがある。図５は本発明が適用される給紙装置を備えた画像形成装置の構成を示す模式図、図６は従来の給紙装置の内部構成を示す斜視図である。図５に示すように、画像形成装置１は、画像形成装置本体２と、画像形成装置本体２の一側面に接続された給紙装置５と、から構成されている。
【０００６】
図６に示すように、給紙装置５は、用紙束を積載する底板６を有した給紙トレイ（用紙収納部）８と、用紙束の最上部の用紙を一枚ずつ取り出して画像形成装置本体２側へ給紙する給紙ユニット（給紙装置）９と、を備えている。給紙ユニット９には、ピックアップコロ３１と、フィードコロ３２と、リバースコロ３３と、が配置されている。これらのピックアップコロ３１、フィードコロ３２、リバースコロ３３は、予め設定されたそれぞれの給紙タイミングによって回転駆動される。
【０００７】
また、給紙トレイ８内には、底板６上に積載された用紙束の幅方向（給紙方向と直交する方向）側面をガイドするサイドフェンス１３を両側に設け、用紙束の後方には後端面を押さえるエンドフェンス１４が配置されている。用紙束の上限検知はフォトインタラプタからなるセンサー１５により行い、センサー１５によって用紙の給紙位置を検知し、用紙の残量が少なくなっても常に用紙の給紙位置がばらつかないように、底板６を上昇モータＭで上下動させることにより用紙の給紙位置の制御を行っている。このように給紙分離条件を一定に保つために、用紙積載量が増減しても常に給紙位置が一定となるように、用紙上限位置の最適化を常に行っている。
【０００８】
尚、センサー１５を動作させるアクチュエータ１６は、ピックアップコロ３１及びフィードコロ３２と連結された構成となっており、アクチュエータ１６の端部に配置したフィラーがセンサー１５を遮光することにより、常に用紙の上限を検知し、ピックアップコロ３１の位置を一定に保つようになっている。また、用紙の積載量の減少と合わせて底板６が上昇しても、この位置検知をこのアクチュエータ１６によって行う。給紙トレイ８は、給紙装置本体から抜差し可能な構成で、使用者が用紙を給紙トレイ８にセットするときには、給紙トレイ８を引出して行う。
え  
【０００９】
図７は図６に示したる給紙装置の主要部を示す斜視図、図８はサイドフェンス面におけるエアー噴出口の特徴的な形状を示す模式図である。図７及び図８に示すように、各サイドフェンス１３の外側には、ブロワーファン２０が取り付けられ、ブロワーファン２０が生成するエアーを噴出するエアー噴出口（ノズル）２１がサイドフェンス内側面に開口している。エアー噴出口２１は、上端縁２２ａの高さ位置が給紙ユニット９により給紙される用紙の通紙経路Ｐよりも低い位置に配置され、且つ通紙経路Ｐに沿って延びる第１の噴出口２２を有している。この噴出口２２から積載されたコート紙の紙間に空気を送り込むことができるので、重送を防止することができる。
【００１０】
特許文献１には、分離機構に対する紙面検知装置等の各種検知手段の位置精度を向上させ、紙面制御等の各種制御を正確に行うと共に装置のコストダウンを実現するため、昇降可能な用紙積載台と、用紙積載台の高さを検知する紙面検知装置とを備えた画像形成装置の給紙装置において、紙面検知装置の少なくとも一部を保持するホルダ部材をフィードローラーの回転軸を支持する軸受部材と一体に形成したものが記載されている。
【００１１】
また、特許文献２には、複数枚の用紙を積載する用紙収容部と、この用紙収容部から前記用紙を取り出すための給紙コロ及びこの給紙コロによって送り出された前記用紙を１枚ずつに捌き、１枚ずつ前記画像形成装置に送り出すための分離コロを備えた給紙部とを有する給紙装置において、前記分離コロと前記給紙コロが、両者の軸方向に配置された両者の駆動源と前記分離コロを前記用紙に対して離接する離接手段との間に配置され、前記離接手段は、前記給紙コロと前記分離コロの軸を支持する連結部材を備え、この連結部材は前記分離コロ側が上昇するように前記給紙コロの駆動軸を支点に回転可能になっているものが記載されている。
【発明の概要】
【発明が解決しようとする課題】
【００１２】
しかしながら、従来の給紙装置のように用紙の紙間に空気を送り込むと、薄紙コート紙等の場合、用紙の先端が狙いの位置より上に移動することがあり、これによって用紙の先端がフィードコロの上部に衝突し、不送りを引き起こしてしまうことがある。
【００１３】
図９は給紙ユニット部のコロ周辺を示す斜視図、図１０は給紙の不具合を示す給紙装置の要部側面図である。ここで、ピックアップコロ３１、フィードコロ３２、リバースコロ３３の脇部に配置されているガイド板４１にはコロ交換のための切欠部４２が形成されている。このような給紙装置で薄紙のコート紙を通紙する際に、ブロワーファンから用紙にエアーを噴出すると、用紙のコロ脇の部分は切欠部４２からエアーが吹き込み、用紙Ｓの先端Ｓａが狙い位置であるフィードコロ３２とリバースコロ３３との接触部より上に上がってしまい、その状態で給紙動作を行うと、図１０に示すように用紙の先端がフィードコロ３２の上部に衝突し不送りとなってしまう。
【００１４】
そのため用紙の浮上を規制するためにガイド板４１自体を延長し、コロなどを設置することにより用紙の浮上を規制することもできるが、最も用紙の浮上が発生しやすいコロの脇は上記の理由からガイド板を設置することができないため、用紙の浮上を規制することができない。
【００１５】
そこで本発明は、用紙先端の浮上を抑制して薄紙等の用紙を確実に給紙することができる給紙装置及びこの給紙装置を備える画像形成装置を提供することを目的とする。
【課題を解決するための手段】
【００１６】
請求項１の発明は、用紙収納部内のサイドフェンスに配置した噴出口からエアーを収納された用紙束の側面に吹き付け、用紙捌きを行い、この用紙束からピックアップ装置で用紙を１枚ずつ給紙する給紙装置において、ピックアップコロの用紙搬送側に搬送装置が送出した用紙を次段の搬送装置に搬入部に向け誘導する案内部材を配置したことを特徴とする給紙装置である。
【００１７】
請求項２の発明は、請求項１記載の給紙装置において、前記ピックアップ装置はピックアップコロを備え、次段の搬送装置は、フィードコロ及びリバースコロを備えることを特徴とする。
【００１８】
請求項３の発明は、請求項２記載の給紙装置において、前記案内部材は、前記ピックアップコロの軸部と、前記フィードコロの軸部に取り付ける取付部を備えることを特徴とする。
【００１９】
請求項４の発明は、請求項３記載の給紙装置において、前記案内部材の取付部は、前記ピックアップコロと前記フィードコロを各軸部に固定するスナップフィット止め輪部材を兼ねていることを特徴とする。
【００２０】
請求項５の発明は、請求項２乃至４のいずれか記載の給紙装置において、前記案内部材は、取付姿勢が誤っているとき、前記ピックアップコロ又は前記フィードコロの少なくとも一方の軸部と干渉する凸部を備えることを特徴とする。
【００２１】
請求項６の発明は、請求項１乃至５のいずれかに記載の給紙装置を備えることを特徴とする画像形成装置である。
【発明の効果】
【００２２】
本発明に係る給紙装置及び画像形成装置によれば、ピックアップコロの用紙搬送側に搬送装置が送出した用紙を次段の搬送装置に搬入部に向け誘導する案内部材を配置したから、用紙先端の浮上を抑制して薄紙等の用紙を確実に給紙することができる。
【図面の簡単な説明】
【００２３】
【図１】実施例に係る給紙装置の構成を示す斜視図である。
【図２】実施例に係る給紙装置の構成を示す側面図である。
【図３】実施例に係る給紙装置に設けられるガイド部材を示す斜視図である。
【図４】ガイド部材を上下逆に取り付けた状態を示す斜視図である。
【図５】本発明が適用される給紙装置を備えた画像形成装置の構成を示す模式図である。
【図６】従来の給紙装置の内部構成を示す斜視図である。
【図７】図２に示したる給紙装置の主要部を示す斜視図である。
【図８】サイドフェンス面におけるエアー噴出口の特徴的な形状を示す模式図である。
【図９】給紙ユニット部のコロ周辺を示す斜視図である。
【図１０】給紙の不具合を示す給紙装置の要部側面図である。
【発明を実施するための形態】
【００２４】
本発明は、用紙収納部内のサイドフェンスに配置した噴出口からエアーを収納された用紙束の側面に吹き付け、用紙捌きを行い、この用紙束からピックアップ装置で用紙を１枚ずつ給紙する給紙装置において、ピックアップコロの用紙搬送側に搬送装置が送出した用紙を次段の搬送装置に搬入部に向け誘導する案内部材を配置した。また、本発明は、前記ピックアップ装置はピックアップコロを備え、次段の搬送装置は、フィードコロ及びリバースコロを備える。また、案内部材は、前記ピックアップコロの軸部と、前記フィードコロの軸部に取り付ける取付部を備える。また、案内部材の取付部は、前記ピックアップコロと前記フィードコロを各軸部に固定するスナップフィット止め輪部材を兼ねており、案内部材は、取付姿勢が誤っているとき、前記ピックアップコロ又は前記フィードコロの少なくとも一方の軸部と干渉する凸部を備える。
【００２５】
このような構成により、本発明によれば、ガイド板の切欠部からエアーを吹き込んでも、前記切欠部に相当する個所における用紙先端の浮上を抑え、不送を解消して用紙送りを確実なものとできる。また、案内部材の取付部をピックアップコロとフィードコロのスナップフィット止め輪を兼ねているため部品の削減を行うことができる。更に案内部材を上下反転して誤組みしようとした場合、凸部がピックアップコロの軸に干渉するため誤組みを防止することができる。そして、この給紙装置を備えた画像形成装置は、給紙が難しかった薄紙等の給紙性向上が図れ、搬送品質が高まる。
【実施例】
【００２６】
以下実施例に係る給紙装置及び画像形成装置について説明する。本例に係る給紙装置は図５を参照して背景技術として説明した画像形成装置に適用される。即ち、本例に係る画像形成装置は、上述した構成を備える電子写真式の複写機、プリンタ、ファクシミリのほか、インクジェットプリンタ等々の各画像形成装置に適用される。
【００２７】
また、本例に係る給紙装置の基本的構造は、図６乃至図９を参照して説明した給紙装置と同一である。本例に係る給紙装置は、用紙収納部内のサイドフェンスに配置した噴出口からのエアーを用紙束側面に吹き付けることにより給紙前に用紙捌きを行うようにした給紙装置に適用される。本例に係る給紙装置は、各サイドフェンス１３の外側には、ブロワーファン２０が取り付けられ、ブロワーファン２０が生成するエアーを噴出するエアー噴出口（ノズル）２１がサイドフェンス内側面に開口している。また、エアー噴出口２１は、上端縁２２ａの高さ位置が給紙ユニット９により給紙される用紙の通紙経路Ｐよりも低い位置に配置され、且つ通紙経路Ｐに沿って延びる第１の噴出口２２を有している。この噴出口２２から積載されたコート紙の紙間に空気を送り込むことができる(図７、図８参照)。
【００２８】
本例に係る給紙装置は、ピックアップコロ３１、フィードコロ３２、リバースコロ３３を備え、これらのピックアップコロ３１、フィードコロ３２、リバースコロ３３の脇部にはガイド板４１が配置され、このガイド板４１にはコロ交換のための切欠部４２が設けられている。ここまでの構成は上記背景技術で説明した給紙装置と同じである。
【００２９】
図１は実施例に係る給紙装置の構成を示す斜視図、図２は実施例に係る給紙装置の構成を示す側面図、図３は実施例に係る給紙装置に設けられるガイド部材を示す斜視図、図４はガイド部材を上下逆に取り付けた状態を示す斜視図である。
【００３０】
本例に係る給紙装置は案内部材５０を備え、この案内部材５０で用紙Ｓを案内してガイド板４１の切欠部４２からの吹き込みによる用紙Ｓの先端Ｓａの浮上を抑え、不送りを解消している。
【００３１】
案内部材５０は、図３に示すように、全体が彎曲した部材であり、合成樹脂により構成されている。案内部材５０は、給紙装置に配置したとき下側に凸となる彎曲した案内板部５１と、案内板部５１の一面に配置された突設部５２と、突設部５２の一端側に設けられた凸部５３と、案内板部５１から立設された２つの取付部５４，５５とを備えている。取付部５４はピックアップコロ３１の軸部３１ａに取り付けられるスナップフィット止め輪を兼ねるように略Ｃ字状に形成され、同様に取付部５５は、フィードコロ３２の軸部３２ａのスナップフィット止め輪を兼ねるように略Ｃ字状に形成されている。また、凸部５３は案内部材５０の上下方向を誤って逆にしたとき軸部３１ａに当接して取付部５５を軸部３１ａに取り付けるのを阻止して、誤取付を防止する。尚、案内部材５０の全体形状は、直線形状等他の形状とできるほか、断面形条も適宜選択することができる。
【００３２】
従って本例に係る給紙装置によれば、ガイド板４１の切欠部４２からの吹き込みやその他の理由で用紙Ｓの先端Ｓａが浮上しようとしても、図２に示すように、用紙Ｓは５０の案内板部５１の下面で押さえられて確実にフィードコロ３２とリバースコロ３３との間に搬送され、不送りが防止される。また本例に係る案内部材５０によれば、取付部５４，５５はピックアップコロ３１及びフィードコロ３２のスナップフィット止め輪を兼ねているので個別のスナップフィット止め輪を省略することができ部品の省略化を行うことができる。また、案内部材５０には、凸部５３を配置しているので、案内部材５０を上下反転して誤組みしようとしたとき凸部５３がピックアップコロ３１の軸部３１ａに干渉して誤組みを防止することができる。
【００３３】
そして、実施例に係る給紙装置を備えた画像形成装置によれば、給紙が難しかった薄紙等の給紙性向上が図られ、機器としての搬送品質が高まる。
【符号の説明】
【００３４】
１：画像形成装置
２：画像形成装置本体
５：給紙装置
６：底板
８：給紙トレイ（用紙収納部）
９：給紙ユニット（給紙装置）
１３：サイドフェンス
１４：エンドフェンス
１５：センサー
１６：アクチュエータ
２０：ブロワーファン
２１：エアー噴出口（ノズル）
２２：第１の噴出口
２２ａ：上端縁
３１：ピックアップコロ
３１ａ：軸部
３２：フィードコロ
３２ａ：軸部
３３：リバースコロ
４１：ガイド板
４２：切欠部
５０：案内部材
５１：案内板部
５２：突設部
５３：凸部
５４，５５：取付部
Ｍ：上昇モータ
Ｐ：通紙経路
Ｓ：用紙
Ｓａ：先端
【先行技術文献】
【特許文献】
【００３５】
【特許文献１】特開２００１−３１０８２７公報
【特許文献２】特許第４０１１８４７号公報
【図１】
2010202373.tif 000003
【図２】
2010202373.tif 000004
【図３】
2010202373.tif 000005
【図４】
2010202373.tif 000006
【図５】
2010202373.tif 000007
【図６】
2010202373.tif 000008
【図７】
2010202373.tif 000009
【図８】
2010202373.tif 000010
【図９】
2010202373.tif 000011
【図１０】
2010202373.tif 000012